(57)【要約】【課題】フリーアクセスフロア全体の重量の軽量化を図ることができるフリーアクセスフロアの支持台を提供する。【解決手段】フリーアクセスフロアの床板を受ける床受け部２５と、床受け部２５の下方に配置されて、床受け部２５を介して床板及びこの床板上のもの等を支持するフロア支持部２６とを備えたフリーアクセスフロアの支持台２３において、フロア支持部２６は、板状部材を略円筒状に形成したこと。【効果】フリーアクセスフロア全体の重量の軽量化を図ることができる。【選択図】図１
2008202352.tif 000002
【特許請求の範囲】
【請求項１】
フリーアクセスフロアの床板を受ける床受け部と、
前記床受け部の下方に配置されて、前記床受け部を介して前記床板及びこの床板上のもの等を支持するフロア支持部と
を備えたフリーアクセスフロアの支持台において、
前記フロア支持部は、板状部材を略円筒状に形成したことを特徴とするフリーアクセスフロアの支持台。
【請求項２】
前記板状部材を略円筒状に形成したフロア支持部の円筒軸方向両端部の少なくとも一方の前記板状部材を折り曲げて肉厚を二重構造に形成したことを特徴とする請求項１に記載のフリーアクセスフロアの支持台。
【請求項３】
前記略円筒状に形成したフロア支持部の円筒軸方向両端部の少なくとも一方を被覆する被覆部材を設けたことを特徴とする請求項１または２に記載のフリーアクセスフロアの支持台。
【請求項４】
前記床受け部の一部に、前記被覆部材としての機能を有する形状を形成したことを特徴とする請求項３に記載のフリーアクセスフロアの支持台。
【請求項５】
前記フロア支持部の下端部を支持する下端支持部材の一部に、前記被覆部材としての機能を有する形状を形成したことを特徴とする請求項３に記載のフリーアクセスフロアの支持台。
【発明の詳細な説明】
【技術分野】
【０００１】
本発明は、下地コンクリート床面の上に配置されて、その下地コンクリート床面との間に間隙を設けてフロアパネルが敷き詰められるフリーアクセスフロアに関し、特にそのフロアパネルやそのパネル上のもの等を支持するために用いられる、フリーアクセスフロアの支持台に関するものである。
【背景技術】
【０００２】
従来のフリーアクセスフロアの支持台としては、特許文献１に係るフリーアクセスフロアがある。この特許文献１に係るフリーアクセスフロアの支持脚は、本願の図１３に示すように、上下方向に伸びる軸線を有する略円柱状に形成され、その軸線方向上端部に、特許文献１の図４に示すような床板（フロアパネル）を受けるキャップ５（本願の図１４参照）が設けられている。
【０００３】
キャップ５の上面側には、上記床板の、平面部の周縁部に形成されたリブ（特許文献１の図４の符号１ｂ参照）が嵌入する嵌入溝５ｄが形成されており、キャップ５の下面側には、キャップ５の外径よりも小さい径を有する円筒部５ｆが形成されている。この円筒部５ｆは、キャップ５の下方に設けられた、図１４，１５に示すようなパイプ６の内側に嵌合している。
【０００４】
図１３に示すように、パイプ６は、本願の図１４に示す緩衝材７により支持され（特許文献１の図１４参照）、この緩衝材７は、パイプ６より高さの低い円筒部７ａを有すると共に、パイプ６の内径よりも小さい径の開口部７ｂが開口する底板部７ｃを有している。パイプ６の下端部は、緩衝材７の円筒部７ａの内側に嵌合すると共に、緩衝材７の底板部７ｃの上面に当接して支持されている。
【特許文献１】特許第２７７８５３８号
【発明の開示】
【発明が解決しようとする課題】
【０００５】
しかしながら、このような従来のフリーアクセスフロアの支持脚に用いられているパイプ６は、従来は、市販されている、規格で定められた鋼管を所定長さに切断して利用していたので、設計上算出された必要な肉厚の鋼管が、市販されている規格の鋼管に無い場合は、１サイズ上の肉厚の鋼管を購入して利用せざるを得なかった。このため、１サイズ上の肉厚の鋼管では設計上算出された必要な肉厚よりも厚くなってしまうので、フリーアクセスフロア全体の重量の軽量化が図れないという問題があった。
【０００６】
そこで本発明は、上記問題点に鑑みて、フリーアクセスフロア全体の重量の軽量化を図ることができるフリーアクセスフロアの支持台を提供することを課題とするものである。
【課題を解決するための手段】
【０００７】
上記課題を解決するために本発明は、
フリーアクセスフロアの床板を受ける床受け部と、
前記床受け部の下方に配置されて、前記床受け部を介して前記床板及びこの床板上のもの等を支持するフロア支持部と
を備えたフリーアクセスフロアの支持台において、
前記フロア支持部は、板状部材を略円筒状に形成したことを特徴とするものである。
【０００８】
また、上記課題を解決するために本発明は、
前記板状部材を略円筒状に形成したフロア支持部の円筒軸方向両端部の少なくとも一方の前記板状部材を折り曲げて肉厚を二重構造に形成したことを特徴とするものである。
【０００９】
また、上記課題を解決するために本発明は、
前記略円筒状に形成したフロア支持部の円筒軸方向両端部の少なくとも一方を被覆する被覆部材を設けたことを特徴とするものである。
【００１０】
また、上記課題を解決するために本発明は、
前記床受け部の一部に、前記被覆部材としての機能を有する形状を形成したことを特徴とするものである。
【００１１】
また、上記課題を解決するために本発明は、
前記フロア支持部の下端部を支持する下端支持部材の一部に、前記被覆部材としての機能を有する形状を形成したことを特徴とするものである。
【発明の効果】
【００１２】
このような本発明に係るフリーアクセスフロアの支持台によれば、
フリーアクセスフロアの床板を受ける床受け部と、
前記床受け部の下方に配置されて、前記床受け部を介して前記床板及びこの床板上のもの等を支持するフロア支持部と
を備えたフリーアクセスフロアの支持台において、
前記フロア支持部は、板状部材を略円筒状に形成したことにより、
フリーアクセスフロア全体の重量の軽量化を図ることができる。
【００１３】
また、本発明のフリーアクセスフロアの支持台によれば、
前記板状部材を略円筒状に形成したフロア支持部の円筒軸方向両端部の少なくとも一方の前記板状部材を折り曲げて肉厚を二重構造に形成したことにより、
フリーアクセスフロアの支持台の耐久性を向上させることができる。
【００１４】
また、本発明のフリーアクセスフロアの支持台によれば、
前記略円筒状に形成したフロア支持部の円筒軸方向両端部の少なくとも一方を被覆する被覆部材を設けたことにより、
前記略円筒状のフロア支持部の形状が損なわれることを防止して、フリーアクセスフロアの支持台の、前記床板及びその上のもの等を支持する支持強度が低減することを防止することができる。
【００１５】
また、本発明のフリーアクセスフロアの支持台によれば、
前記床受け部の一部に、前記被覆部材としての機能を有する形状を形成したことにより、
前記被覆部材を前記床受け部とは別体で作る必要が無くなるので、部品点数が増加するのを防止することができる。
【００１６】
また、本発明のフリーアクセスフロアの支持台によれば、
前記フロア支持部の下端部を支持する下端支持部材の一部に、前記被覆部材としての機能を有する形状を形成したことにより、
前記被覆部材を前記下端支持部材とは別体で作る必要が無くなるので、部品点数が増加するのを防止することができる。
【発明を実施するための最良の形態】
【００１７】
以下、本発明に係るフリーアクセスフロアの支持台を実施するための最良の形態について、図面に基づいて具体的に説明する。
図１から図１２は、本発明の一実施の形態に係るフリーアクセスフロアの支持台について説明するために参照する図である。
【００１８】
図１に示すように、本実施の形態に係るフリーアクセスフロアの支持台２３は、上下方向に伸びる軸線を有する略円柱状に形成され、その軸線方向上端部に、図示してないフリーアクセスフロアの床板（フロアパネル）を受けるキャップ部２５（床受け部、図２参照）が設けられている。
【００１９】
キャップ部２５の上面側には、前記床板の、平面部の周縁部に形成されたリブ（前記特許文献１の図４の符号１ｂ参照）が嵌入する嵌入溝２９が形成されており、キャップ部２５の下面側には、キャップ部２５の外径よりも小さい径を有する円筒部２５ｆが形成されている。
【００２０】
キャップ部２５の円筒部２５ｆは、図１においてキャップ部２５の下方に設けられた、図２，３に示すような、円筒状に形成されたフロア支持部２６の上端部の外側に嵌合している。このフロア支持部２６は、キャップ部２５を介して前記床板及びその床板上の人や物等を支持するようになっており、後述するように、このフロア支持部２６は板状部材を用いて形成されるようになっている。
【００２１】
図１に示すように、フロア支持部２６の下端部は、緩衝支持部材２７（下端支持部材、図２参照）により緩衝作用を伴って支持され、この緩衝支持部材２７は、フロア支持部２６より高さの低い円筒部２７ａを有すると共に、フロア支持部２６の円筒内径よりも小さい径の開口部２７ｂが開口する底板部２７ｃを有している。
【００２２】
すなわち、フロア支持部２６の下端部は、図１に示すように、緩衝支持部材２７の円筒部２７ａの内側に嵌合し、フロア支持部２６の下端面は緩衝支持部材２７の底板部２７ｃの上面に当接して支持されている。
図３，４に示すように、フロア支持部２６は、その上下両端部の板状部材それぞれが外側に折り曲げられて、その折り曲げ部分だけ肉厚が二重構造に形成されている。
【００２３】
図３（ａ）、（ｂ）に示すように、フロア支持部２６には隙間Ｒが形成されており、その隙間Ｒに対してフロア支持部２６の直径方向反対側には、図３（ｂ）、（ｃ）に示すように、フロア支持部２６の上下両端部に折り曲げ部がない領域Ｓがある。これら隙間Ｒと領域Ｓは、フロア支持部２６の製造方法に由来するものである。
フロア支持部２６は、後述するような製造方法により製造するようになっている。
【００２４】
また、フロア支持部２６の上端部は、その外側をキャップ部２５の下面側の円筒部２５ｆ（被覆部材）により被覆されると共に、フロア支持部２６の下端部は、その外側を緩衝支持部材２７の円筒部２７ａ（被覆部材）により被覆されている。
【００２５】
緩衝支持部材２７は、図５に示すように、９個が１組で、互いに連結部材３０ａにより連結されて、縦横両方向のそれぞれに３箇所ずつ予め配置されている連結ユニット３０の、９箇所のそれぞれの位置に一体的に形成されている構成となっている。このため、１つの連結ユニット３０を下地コンクリート床面の上に置いてその位置を決めるだけで、９個の緩衝支持部材２７は１度でそれらの位置が同時に決まるようになっている。
【００２６】
次に、フロア支持部２６の製造方法について説明する。
フロア支持部２６は、幅が広くて長く連続している帯状の板状部材を用いて、その板状部材が連続送り加工工程を順次送られて、各加工工程において加工されていくようになっている。そして、ほとんどの加工工程が終了するまでは、製造途中の各フロア支持部２６は互いに連結された状態で送られて行き、ほとんどの加工工程が終了したものから順次切り離されて、フロア支持部２６が完成品として出来上がるようになっている。
【００２７】
このため、複数種類の金型が、コイル状に巻かれた長い板状部材の送り方向に沿って、順番通りに並べて装着された、図示しないトランスファー・プレス・マシンを用意する。
そして、フロア支持部２６の製造作業を開始して送られてきた板状部材の先頭部は、まず最初の金型により、図６に示すような形状に打抜き加工される。
【００２８】
この最初の工程において形成された板状部材３５の形状は、その幅方向中央部（図中上下方向中央部）に、接続部分３５ａが送り方向Ｍに連続して形成されており、この接続部分３５ａからその幅方向両端側に向かって伸び、後にフロア支持部２６を形成する部分となる製品部３５ｂが、板状部材３５の送り方向Ｍに沿って間隔を置いて次々と形成されていく。
【００２９】
上記工程から板状部材３５が次の工程に送られて、図示しない次の金型により、図６における板状部材３５の各製品部３５ｂの両側部の、破線より外側に位置する折り曲げ部３５ｃが折り曲げられて、板状部材３５は図７，８に示すように形成される。
【００３０】
すなわち、図７における製品部３５ｂのＡ矢視拡大図を示す図８に示すように、製品部３５ｂの両側部の折り曲げ部３５ｃは、製品部３５ｂの幅方向中央部の平面部に対して略９０°の角度で立ち上がるよう折り曲げられて形成される。
【００３１】
上記工程から板状部材３５が次の工程に送られて、図示しない次の金型により、図７，８における板状部材３５の製品部３５ｂの両側部に立ち上がる折り曲げ部３５ｃが、図９，１０に示すようにさらに折り曲げられて、寝かされるよう板状部材３５は形成される。
【００３２】
すなわち、図９における製品部３５ｂのＢ矢視拡大図を示す図１０に示すように、製品部３５ｂの両側部の折り曲げ部３５ｃは、製品部３５ｂの幅方向中央部の平面部に隙間無く接触するように折り曲げられて形成される。
【００３３】
上記工程から板状部材３５が次の工程に送られて、図示しない次の金型により、図９における板状部材３５のＣ矢視図を示す図１１における、板状部材３５の接続部分３５ａが動かないようにＥ方向の力で支えられて、製品部３５ｂそれぞれの図中上下先端部を矢印Ｄ方向に力を加えて円弧状に曲げるよう加工する。この工程により、図１２に示すようなフロア支持部２６をほぼ完成させることができる。
【００３４】
上記工程から板状部材３５が次の工程に送られて、図示しない次の金型により、図９における板状部材３５の接続部分３５ａに破線で示すような、製品部３５ｂの折り曲げ部３５ｃを折り曲げた後の幅を画成する２本の稜線３５ｋの、接続部分３５ａ上における２本の延長線Ｌを同時に切断することにより、図３に示すようなフロア支持部２６が完成する。
【００３５】
このときの接続部分３５ａ上における２本の延長線Ｌ間の領域が、前記フロア支持部２６の上下両端部に折り曲げ部がない領域Ｓに相当するものである。
このような加工工程を次々と連続して繰り返していくことにより、フロア支持部２６を量産することができる。
【００３６】
前記延長線Ｌ上を２箇所同時に切断する最後の工程により完成したフロア支持部２６は、図１２に示す隙間Ｒが多少大きめに開いており、このフロア支持部２６を、図１に示すように、キャップ部２５及び／又は緩衝支持部材２７の円筒部２５ｆ，２７ａ内に嵌入するときに、その隙間Ｒは狭く縮小してそれらの嵌入作業を容易にすることができる。
【００３７】
このような本発明の実施の形態に係るフリーアクセスフロアの支持台２３によれば、フロア支持部２６に用いられる板状部材３５の板厚として、厚過ぎることなく適度の厚さを自由に選べるので、フリーアクセスフロアの支持台２３の軽量化を図ることができるため、支持台２３を含めたフリーアクセスフロア全体の重量の軽量化を図ることができる。
【００３８】
また、本発明の実施の形態に係るフリーアクセスフロアの支持台２３によれば、フロア支持部２６の上下両端部を折り曲げて、それぞれの肉厚を二重構造に形成したことにより、フロア支持部２６の上下両端部を折り曲げない場合に比べて、フロア支持部２６の上下端面がキャップ部２５の下面や、緩衝支持部材２７の底板部２７ｃに突き当たる面積が略倍になる。
【００３９】
このため、フロア支持部２６の上下両端がキャップ部２５の下面や、緩衝支持部材２７の底板部２７ｃに喰い込んで、それらを破断させるような事態が発生することを防止することができる。このため、フリーアクセスフロアの支持台２３の耐久性を向上させることができる。
【００４０】
なお、本発明の実施の形態においてはフロア支持部２６の上下両端部を折り曲げてそれぞれの肉厚を二重構造に形成した場合について説明したが、フロア支持部２６の上下両端部のいずれか一方だけを折り曲げて、その一方だけの肉厚を二重構造に形成するようにしてもよい。
【００４１】
また、本発明の実施の形態においてはフロア支持部２６の上下両端部それぞれをその半径方向外側に折り曲げた場合について説明したが、その上下両端部それぞれをその半径方向内側に折り曲げてもよい。
【００４２】
また、本発明の実施の形態においてはフロア支持部２６の上下両端部それぞれの、前記折り曲げ部３５ｃが無い領域Ｓ（接続部分３５ａ）以外の部分の板状部材３５を折り曲げた場合について説明したが、前記領域Ｓが生じないように、フロア支持部２６の円周方向全周にわたって板状部材３５を折り曲げるようにしてもよい。
【００４３】
また、フロア支持部２６は、本実施の形態においてそれを量産する場合の製造方法について説明したが、本実施の形態において説明した製造方法以外の製造方法により製造してもよい。
【００４４】
また、本実施の形態において説明した製造方法においては、各工程において、例えば図６，７，９に示すように、板状部材３５に対して幅方向両端側に製品部３５ｂを２つずつ、これが長さ方向に３組並んでいるので計６つずつ一緒に加工するように説明したが、製品部３５ｂは、前記幅方向両端側の１組の計２つずつでも、又は２組の計４つずつでも、或は４組の計８つずつ以上一緒に加工するようにしてもよいことはいうまでもない。
【００４５】
また、本発明の実施の形態においてはフロア支持部２６を円筒状に形成した場合について説明したが、フロア支持部２６を、多角筒状等のように略円筒状であれば、必ずしも完全な円筒状に形成される必要はない。
【００４６】
また、本発明の実施の形態に係るフリーアクセスフロアの支持台２３によれば、フロア支持部２６の軸周り円周方向の一部に、軸方向に伸びる隙間Ｒが形成されているので、フロア支持部２６をキャップ部２５及び／又は緩衝支持部材２７の円筒部２５ｆ，２７ａ内に嵌入するときに、その隙間Ｒは狭く縮小してそれらの嵌入作業を容易にすることができると共に、この隙間Ｒの拡大又は縮小によりフロア支持部２６の径の寸法誤差を容易に吸収することができる。
【００４７】
また、本発明の実施の形態に係るフリーアクセスフロアの支持台２３によれば、フロア支持部２６の上下両端部が、キャップ部２５及び緩衝支持部材２７の円筒部２５ｆ，２７ａの両方によって被覆されることにより、フロア支持部２６の円筒形状が損なわれることを防止して、フリーアクセスフロアの支持台２３による、床板等の支持強度が低減することを防止することができる。
【００４８】
なお、本発明の実施の形態においてはフロア支持部２６の上下両端部を、キャップ部２５及び緩衝支持部材２７の円筒部２５ｆ，２７ａの両方により被覆される場合について説明したが、キャップ部２５及び緩衝支持部材２７の円筒部２５ｆ，２７ａのいずれか一方のみが、フロア支持部２６の上下両端部のいずれか一方のみを被覆するようにしてもよい。或は、フロア支持部２６の上下両端部の一方又は両方を、独立した別体で形成された被覆部材により被覆するようにしてもよい。
【００４９】
また、本発明の実施の形態においてはフロア支持部２６の上下両端部が、その外側から被覆される場合について説明したが、フロア支持部２６の上下両端部の一方又は両方を、その内側から被覆してもよく、或はその外側と内側の両側から被覆するようにしてもよい。
【００５０】
また、本発明の実施の形態に係るフリーアクセスフロアの支持台２３によれば、フロア支持部２６の上端部を被覆する被覆部材をキャップ部２５の円筒部２５ｆにより構成したことにより、フロア支持部２６の上端部を被覆する被覆部材をキャップ部２５とは別に作る必要が無くなって、部品点数が増加するのを防止することができる。
【００５１】
また、本発明の実施の形態に係るフリーアクセスフロアの支持台２３によれば、フロア支持部２６の下端部を被覆する被覆部材を緩衝支持部材２７の円筒部２７ａによって構成したことにより、フロア支持部２６の下端部を被覆する被覆部材を緩衝支持部材２７とは別に作る必要が無くなって、部品点数が増加するのを防止することができる。
【図面の簡単な説明】
【００５２】
【図１】本発明の一実施の形態に係るフリーアクセスフロアの支持台２３を示す断面図である。
【図２】図１におけるフリーアクセスフロアの支持台２３の分解断面図である。
【図３】図１における支持台２３のフロア支持部２６を示す図であり、図３（ａ）はその隙間Ｒの側から見た側面図、図３（ｂ）はその下面図、図３（ｃ）はその折り曲げ部３５ｃが無い領域Ｓの側（隙間Ｒの側（図３（ａ）の側）の裏側）から見た側面図である。
【図４】図３（ｂ）におけるフロア支持部２６のＡ−Ａ線断面図である。
【図５】９個の緩衝支持部材２７を有する１つの連結ユニット３０を示す平面図である。
【図６】フロア支持部２６の原材料である帯状の板状部材３５を第１工程により打抜き加工した後の形状を示すその平面図である。
【図７】図６における板状部材３５を第２工程により折り曲げ加工した後の形状を示すその平面図である。
【図８】図７における板状部材３５の製品部３５ｂのＡ矢視拡大図である。
【図９】図７における板状部材３５を第３工程により折り曲げ加工した後の形状を示すその平面図である。
【図１０】図９における板状部材３５の製品部３５ｂのＢ矢視拡大図である。
【図１１】図９における製品部３５ｂを有する板状部材３５のＣ矢視図である。
【図１２】図１１における板状部材３５を第４工程により図１１における形状から円弧状に折り曲げ加工した後の形状を示す図である。
【図１３】従来のフリーアクセスフロアの支持台３を示す断面図である。
【図１４】図１３におけるフリーアクセスフロアの支持台３の分解断面図である。
【図１５】図１３における支持台３のパイプ６を示す図であり、図１５（ａ）はその上面図、図１５（ｂ）はその側面図である。
【符号の説明】
【００５３】
３  フリーアクセスフロアの支持脚
５  キャップ
５ｆ  円筒部
６  パイプ
７  緩衝材
７ａ  円筒部
７ｂ  開口部
７ｃ  底板部
２３  フリーアクセスフロアの支持台
２５  キャップ部
２５ｆ  円筒部
２６  フロア支持部
２７  緩衝支持部材
２７ａ  円筒部
２７ｂ  開口部
２７ｃ  底板部
２９  嵌入溝
３０  連結ユニット
３０ａ  連結部材  
３５  板状部材
３５ａ  接続部分
３５ｂ  製品部
３５ｃ  折り曲げ部
３５ｋ  稜線
Ｒ  隙間
Ｌ  延長線
【図１】
2008202352.tif 000003
【図２】
2008202352.tif 000004
【図３】
2008202352.tif 000005
【図４】
2008202352.tif 000006
【図５】
2008202352.tif 000007
【図６】
2008202352.tif 000008
【図７】
2008202352.tif 000009
【図８】
2008202352.tif 000010
【図９】
2008202352.tif 000011
【図１０】
2008202352.tif 000012
【図１１】
2008202352.tif 000013
【図１２】
2008202352.tif 000014
【図１３】
2008202352.tif 000015
【図１４】
2008202352.tif 000016
【図１５】
2008202352.tif 000017